(57)【特許請求の範囲】
【請求項１】
携帯電話と、情報サーバと、クライアントとを具備し、
前記情報サーバが各電柱等の各支持物の位置の緯度および経度ならびに支持物番号を記憶し、
前記携帯電話はＧＰＳ機能およびカメラ機能を有し、
前記携帯電話が前記ＧＰＳ機能により鳥の営巣等の異常箇所がある支持物の緯度および経度を取得し、前記取得した緯度および経度を前記情報サーバに送信し、前記カメラ機能により前記異常箇所を撮影し、
前記情報サーバが前記送信された緯度および経度の位置に最も近い位置に存在する前記支持物の支持物番号を前記携帯電話に送信し、
前記携帯電話が前記支持物番号を受信し、さらに、前記受信した支持物番号に前記撮影した異常箇所の画像および文字情報を付加した異常箇所情報を前記情報サーバに送信し、
前記情報サーバが前記異常箇所情報を受信して記憶し、
前記クライアントが前記情報サーバにアクセスして前記情報サーバに記憶されている前記異常箇所情報を取得して表示することを特徴とする携帯電話を用いた営巣等の異常箇所の管理システム。
【請求項２】
請求項１記載の携帯電話を用いた営巣等の異常箇所の管理システムであって、
前記情報サーバに記憶された異常箇所情報が前記異常箇所がある支持物の位置を地図上に表した情報を含むことを特徴とする携帯電話を用いた営巣等の異常箇所の管理システム。
【発明の詳細な説明】
【技術分野】
【０００１】
本発明は、電柱等の支持物における鳥の営巣等の異常箇所を管理する携帯電話を用いた管理システムに関するものである。
【背景技術】
【０００２】
電柱等の支持物に鳥が巣を作ることがあり、この鳥の巣は、導電性の針金等を材料の一部分に含む場合がある。このような場合に、鳥の巣の導電性の針金等が電柱に架けられている電線に接触すると、電線の短絡事故等が発生するおそれがある。このため、鳥の巣を撤去する方法が提案されている（例えば特許文献１参照）。
特に、カラス等により支持物上に営巣されると、電線の故障の原因となる。このため、営巣時期には巡視を行い、現場にて営巣の箇所、状況等を帳票に記入している。そして、事務所にて前記記入した内容をパソコンのデータとして入力し管理している。また、地図へ営巣場所を反映し、事務所内で情報を共有している。なお、鳥の巣は全て撤去するのではなく、故障原因とならない箇所での巣は残置するなど共存も模索している。
【特許文献１】特開２００６−２４６７０５号公報
【発明の開示】
【発明が解決しようとする課題】
【０００３】
しかし、上述の従来例においては、営巣箇所を発見した現場において営巣の箇所、状況等を帳票に記入するとともに、前記帳票に記入した内容を事務所内のパソコンに入力するという二重の手間がかかるという問題があった。
さらに、上述の営巣以外にも、電柱の折損、電柱の落雷、電柱の積雪、電柱に架線された配電線の故障等の場合にも同様の問題があった。
そこで、本発明の目的は、上述の問題点を解消し、電柱等の支持物における鳥の営巣等の異常箇所を管理する省力化されたシステムを提供することである。
【課題を解決するための手段】
【０００４】
上記課題を解決するため、請求項１記載の発明は、携帯電話と、情報サーバと、クライアントとを具備し、前記情報サーバが各電柱等の各支持物の位置の緯度および経度ならびに支持物番号を記憶し、前記携帯電話はＧＰＳ（ｇｌｏｂａｌ  ｐｏｓｉｔｉｏｎｉｎｇ
ｓｙｓｔｅｍ）機能およびカメラ機能を有し、前記携帯電話が前記ＧＰＳ機能により鳥の営巣等の異常箇所（電柱等の支持物の折損、落雷、積雪、支持物に架線された配電線の故障等を含む。）がある支持物の緯度および経度を取得し、前記取得した緯度および経度を前記情報サーバに送信し、前記カメラ機能により前記異常箇所を撮影し、前記情報サーバが前記送信された緯度および経度の位置に最も近い位置に存在する前記支持物の支持物番号を前記携帯電話に送信し、前記携帯電話が前記支持物番号を受信し、さらに、前記受信した支持物番号に前記撮影した異常箇所の画像および文字情報を付加した異常箇所情報を前記情報サーバに送信し、前記情報サーバが前記異常箇所情報を受信して記憶し、前記クライアントが前記情報サーバにアクセスして前記情報サーバに記憶されている前記異常箇所情報を取得して表示することを特徴とする携帯電話を用いた営巣等の異常箇所の管理システムである。
【０００５】
請求項１記載の発明により、携帯電話を用いた営巣等の異常箇所の管理システムの携帯電話のＧＰＳ機能により営巣等の異常箇所がある支持物の位置の緯度および経度を取得し、取得した緯度および経度を前記情報サーバに送信する。そして、前記情報サーバが前記送信された緯度および経度を受信し、受信した緯度および経度の位置に最も近い位置に存在する前記支持物の支持物番号を前記携帯電話に送信する。このため、前記異常箇所がある支持物の支持物番号を容易かつ正確に得ることができる。
前記携帯電話は前記送信された支持物番号を受信し、さらに、前記カメラ機能により撮影した前記異常箇所の画像および前記異常箇所の文字情報を前記支持物番号の情報に付加した異常箇所情報を前記情報サーバに送信し、前記情報サーバが前記送信された前記異常箇所情報を受信して記憶する。
そして、前記クライアントが前記情報サーバにアクセスして前記情報サーバに記録されている前記異常箇所情報を取得して表示する。
【０００６】
さらに、請求項２記載の発明は、請求項１記載の携帯電話を用いた営巣等の異常箇所の管理システムであって、前記情報サーバに記憶された異常箇所情報が前記異常箇所がある支持物の位置を地図上に表した情報を含むことを特徴とする携帯電話を用いた営巣等の異常箇所の管理システムである。
【０００７】
請求項２記載の発明によりクライアントが取得した前記情報サーバに記憶された異常箇所情報が前記異常箇所がある支持物の位置を地図上に表した情報を含むので、前記異常箇所がある支持物の位置を容易に知ることができる。
【発明の効果】
【０００８】
請求項１記載の発明によれば、電線の支持物における営巣等の異常箇所を管理する省力化されたシステムを提供することができる。また、リアルタイムに異常箇所情報を検索でき、従来例のような異常箇所の帳票記入およびパソコン入力の二重手間を省くことができる。
さらに、請求項２記載の発明により、請求項１記載の発明の効果とともに、異常箇所がある支持物を地図上に表示し、さらに異常箇所の文字情報を表示することができるので、支持物における異常箇所の管理が容易である。また、クライアントに表示された地図上に異常箇所がある支持物の位置が表示されるため、省力化が図れる。
【発明を実施するための最良の形態】
【０００９】
以下、本発明における実施の形態を図面に基づいて説明する。
図１は本発明の実施の形態に関わる営巣等の異常箇所の管理システムを示し、図２は図１の営巣等の異常箇所の管理システムに使用する携帯電話の表示画面を示し、図３は図２の表示画面の続きの携帯電話の表示画面を示し、図４は図３の表示画面の続きの携帯電話の表示画面を示す。さらに、図５はクライアントの表示画面を示し、図６は図５の続きのクライアントの表示画面を示す。
【００１０】
図１に示すように、営巣等の異常箇所の管理システム１０は、携帯電話２０と、情報サーバ４０と、クライアント５０とを具備している。なお、クライアント５０はコンピュータ、情報端末等であり、営業所等に配置されている。また、携帯電話２０は例えばドコモ網６１を経由し、インターネット６２により情報サーバ４０に接続される。情報サーバ４０は例えばＬＡＮ（Ｌｏｃａｌ  Ａｒｅａ  Ｎｅｔｗｏｒｋ）６３によりクライアント５０に接続される。
情報サーバ４０が各電柱等の各支持物７１の位置の緯度および経度ならびに支持物番号２４(図３参照)を記憶している。
【００１１】
携帯電話２０は例えば株式会社エヌ・ティ・ティ・ドコモのｉモード（登録商標）対応のソフトウエアであるｉアプリ（登録商標）がインストールされ、ＧＰＳ機能およびカメラ機能を有している。
具体的には、図２に示すように、携帯電話２０の画面には開始ボタン２１、設定ボタン２２および終了ボタン２３が設けられている。開始ボタン２１をクリックすると、携帯電話２０のプログラムが起動する。つぎに、設定ボタン２２をクリックしてパスワード、ログインＩＤ等を入力する。終了ボタン２３をクリックすると、携帯電話２０のプログラムが終了する。
【００１２】
さらに、図３に示すように、携帯電話２０の画面に支持物番号２４が表示される。この場合、支持物番号２４は電柱番号である。また、営巣等の異常箇所の現地状況は例えば営巣箇所の表示欄２５を選択することにより入力される。この場合、開閉器上部が選択されている。なお、このように設定された項目の選択をすることにより、省力化および営巣現地状況の誤入力の防止をすることができる。
【００１３】
図１に示すように、携帯電話２０は、前記ＧＰＳ機能により営巣等の異常箇所がある支持物７１（図６参照）の緯度および経度を取得する。具体的には、営巣等の異常箇所がある支持物７１の位置に携帯電話２０を置いた状態で、携帯電話２０のＧＰＳ機能により携帯電話２０の位置の緯度および経度を取得し、この取得した携帯電話２０の位置の緯度および経度を営巣等の異常箇所がある支持物７１の緯度および経度とみなして、インターネット６２を経由して情報サーバ４０に送信する。さらに前記カメラ機能により営巣等の異常箇所を撮影する。
【００１４】
情報サーバ４０が前記送信された緯度および経度の位置に最も近い位置の支持物７１（図６参照）の支持物番号２４（図３参照）をインターネット６２を経由して携帯電話２０に送信する。
【００１５】
携帯電話２０が前記支持物番号２４を受信し、さらに、前記受信した支持物番号２４に前記撮影した営巣等の異常箇所の画像および文字情報を付加して「異常箇所情報」として、この異常箇所情報をインターネット６２を経由して情報サーバ４０に送信する。
具体的には、図４に示すように、携帯電話２０の画面にて、電柱情報、社員情報（鳥の営巣等の異常箇所を発見した社員の情報）、例えば営巣現地状況、画像情報および営巣区分が表示される。変更ボタン３１をクリックすると、属性入力画面３１ａが表示されるので、営巣現地状況を変更できる。また、確認ボタン３２をクリックすると、画像確認画面３２ａが表示され、画像確認画面３２ａには営巣等の異常箇所の画像３２ｂ（携帯電話２０のカメラ機能で撮影したもの）が表示されるので、営巣等の異常箇所の画像３２ｂを確認できる。
さらに、再撮影ボタン３３をクリックすると、画像選択画面３３ａが表示されるので、再撮影した異常箇所の画像に置き換えることができる。
さらに、変更ボタン３４をクリックすると、処理区分入力画面３４ａが表示されるので、例えば営巣の処理区分の「撤去前提」または「残置」を変更することができる。
そして、送信ボタン３５をクリックすると、送信待機画面３５ａが表示されて情報サーバ４０（図１参照）へ送信される。
【００１６】
図１において、クライアント５０が情報サーバ４０に例えばＬＡＮ６３を経由してアクセスして、情報サーバ４０に記録されている異常箇所情報を取得して表示する。
さらに、情報サーバ４０に記憶された異常箇所情報は、図５に示すように、異常箇所がある支持物７１（図６参照）の位置表示５７を地図５３上に表した情報を含む。
具体的には、クライアント５０の画面に検索機能５１が表示され、検索機能５１に検索条件を入力すると、検索条件に沿った検索結果５２が表示される。さらに、検索結果５２の地図５３が表示される。地図５３では、幹線道路５４、幹線道路５４以外の広い道路５５および狭い道路５６、地名、行政区分名、駅名、交差点、学校等が表示される。そして、異常箇所がある支持物７1（図６参照）の位置表示５７が地図５３に表示される。
【００１７】
位置表示５７をクリックすると、クライアント５０の画面が図６の詳細情報に切り替わるようにすることもできる。図６では、例えば鳥の営巣箇所がある支持物７１（この場合電柱）を示す画像７０が表示される。なお、この画像７０は携帯電話２０の前記カメラ機能で撮影して情報サーバ４０（図１参照）に異常箇所情報の一部分として送信したものである。この画像７０には鳥の営巣箇所がある支持物７１に架線されている電線７２、支持物７１付近の建物７３、支持物７１の鳥の営巣箇所７４等が表示されている。なお、画面の下部のウインドウに表示される「画像一覧」には、個別の画像として第１個別画像７０ａおよび第２個別画像７０ｂが表示されているが、画像７０は第１個別画像７０ａを表示している。また、画像７０を第２個別画像７０ｂに切り替えることもできる。
さらに、図６には異常箇所の文字情報表示欄７５が表示される。文字情報表示欄７５には例えば「電柱情報」および「案件情報」が表示される。電柱情報には、電柱番号、電柱が設置されている箇所の行政区および経緯緯度、電柱情報の登録日時等がある。また、案件情報には、携帯ユーザＩＤ、携帯ユーザ名、携帯端末名称、携帯電話番号、営巣箇所のある電柱の電線の電源となる変電所名、電柱の営巣箇所、補足１、補足２、補足３、営巣材、営巣の完成度、梯子車の使用可否、ガードマンの要または不要、営巣の処理区分、営巣の撮影日時、電柱詳細情報のファルサイズ、画像７０のサイズ（画素数）、電柱詳細情報の登録日時および更新日時等がある。
【００１８】
以上の構成の営巣等の異常箇所の管理システム１０は、以下の動作をする。
携帯電話２０を用いた営巣等の異常箇所の管理システム１０の携帯電話２０のＧＰＳ機能により営巣等の異常箇所がある支持物７１の位置の緯度および経度を取得し、取得した緯度および経度を情報サーバ４０に送信する。そして、情報サーバ４０が前記送信された緯度および経度を受信し、受信した緯度および経度の位置に最も近い位置に存在する支持物７１の支持物番号２４を携帯電話２０に送信する。携帯電話２０は前記送信された支持物番号２４を受信し、さらに、前記カメラ機能により撮影した異常箇所の画像および異常箇所の文字情報を支持物番号２４の情報に付加した異常箇所情報を情報サーバ４０に送信する。情報サーバ４０が前記送信された異常箇所情報を受信して記憶する。そして、クライアント５０が情報サーバ４０にアクセスして情報サーバ４０に記録されている前記異常箇所情報を取得して表示する。
【００１９】
さらに、クライアント５０が取得した情報サーバ４０に記憶された異常箇所情報が前記異常箇所がある支持物７１の位置を地図５３上に表した情報を含むので、前記異常箇所がある支持物７１の位置を容易に知ることができる。
【００２０】
このようにして、リアルタイムに異常箇所情報を検索でき、従来例のような異常箇所の帳票記入およびパソコン入力の二重手間を省くことができるので、営巣等の異常箇所に対応する業務における効率化が期待できる。
【００２１】
なお、上記実施の形態において、携帯電話２０の数は１個のみならず、作業員の人数に応じて必要な数とすることができる。また、クライアント５０の数も必要な数とすることができる。
また、異常箇所の一例としての営巣現地状況は営巣箇所をプルダウンメニューにより入力することもできる。
さらに、本発明は、災害時の情報収集、塩害巡視等での点検結果の収集にも応用できる。
なお、鳥の営巣等の異常箇所がある支持物７１の支持物番号が前記支持物７１における支持物番号表示等により判明した場合には、前記判明した支持物番号を携帯電話２０に直接入力することもできる。そして、前記入力した支持物番号に異常箇所の画像および文字情報を付加した異常箇所情報を携帯電話２０が情報サーバ４０に送信するようにすることもできる。
【図面の簡単な説明】
【００２２】
【図１】本発明の実施の形態に関わる営巣等の異常箇所の管理システムの説明図である。
【図２】図１の営巣等の異常箇所の管理システムに使用する携帯電話の表示画面である。
【図３】図２の表示画面の続きの携帯電話の表示画面である。
【図４】図３の表示画面の続きの携帯電話の表示画面である。
【図５】クライアントの表示画面である。
【図６】図５の続きのクライアントの表示画面である。
【符号の説明】
【００２３】
１０  営巣等の異常箇所の管理システム
２０  携帯電話
２４  支持物番号
４０  情報サーバ
５０  クライアント
５３  地図
５７  位置表示
６２  インターネット
７１  支持物
７４  営巣箇所
【図１】
0004970193.tif 000002
【図２】
0004970193.tif 000003
【図３】
0004970193.tif 000004
【図４】
0004970193.tif 000005
【図５】
0004970193.tif 000006
【図６】
0004970193.tif 000007